(57)【特許請求の範囲】
【請求項１】
釣竿の穂先側先端に設けられ釣糸を係止する釣糸係止具であって、
釣竿の竿体の穂先側先端に固定され、穂先側の端部に孔付きの端面を有するパイプ状部材と、
前記パイプ状部材内部の前記竿体側に配置された球状部材と、
前記パイプ状部材内部の穂先側に前記球状部材と当接するように設けられた回転体と、
前記回転体の穂先側端部に設けられ前記パイプ状部材の孔から突出した糸係止部と、
前記糸係止部の穂先側先端に取り外し可能に設けられている円盤状の抜け止め部と、
を備えている釣糸係止具。
【請求項２】
前記回転体は球形である、請求項１に記載の釣糸係止具。
【請求項３】
竿本体と、
前記竿本体の穂先側先端に設けられた、請求項１または請求項２に記載の釣糸係止具と、
を備えた釣竿。
【発明の詳細な説明】
【０００１】
【発明の属する技術分野】
本発明は、釣竿の穂先側先端に設けられ釣糸を係止する釣糸係止具に関する。
【０００２】
【従来の技術】
従来の釣竿は、竿本体と、竿本体の穂先側先端に設けられた、例えば、「ヘビ口」と呼ばれる毛糸状の釣糸係止具を有している。そして、ユーザは、このヘビ口の先端に釣糸を係止して釣りを行う。
【０００３】
【発明が解決しようとする課題】
従来の釣糸係止具では、魚が暴れて左右に釣糸が振れた場合、釣糸が釣糸係止具に絡まってしまうことがある。このような問題点を解決するために、先端に抜け止め部を有する金属製突起部材を備えた釣糸係止具が知られている。この釣糸係止具では、突起部材に釣糸を係止し、釣糸を滑らせて回転させて釣糸が釣糸係止具に絡みつくのを防止している。
【０００４】
しかし、釣糸係止具自体が回転するものではないので、釣糸の糸絡みを十分に解消するに至っていない。
本発明の課題は、釣糸の糸絡みを十分に抑えることができる釣糸係止具、及びこれを備えた釣竿を提供することにある。
【０００５】
【課題を解決するための手段】
発明１に係る釣糸係止具は、釣竿の穂先側先端に設けられ釣糸を係止する釣糸係止具であって、釣竿の竿体の穂先側先端に固定され、穂先側の端部に孔付きの端面を有するパイプ状部材と、パイプ状部材内部の竿体側に配置された球状部材と、パイプ状部材内部の穂先側に球状部材と当接するように設けられた回転体と、回転体の穂先側端部に設けられパイプ状部材の孔から突出した糸係止部と、糸係止部の穂先側先端に取り外し可能に設けられている円盤状の抜け止め部とを備えている。
【０００６】
この場合には、回転体は球状部材と１点で接触するようになっているので、回転体が回転する際の摩擦力は十分に抑えられる。さらに、球状部材自体も回転可能であり、回転体が回転する際の摩擦力はさらに抑えられる。この結果、回転体は釣糸と共に円滑に回転し釣糸の糸絡みを十分に抑える。
また、抜け止め部が取り外し可能に設けられているので、釣糸係止具を容易に組み立てられる。具体的には、以下のようにして釣糸係止具を組み立てる。まず、パイプ状部材内に糸係止部がパイプ状部材から突出するように回転体を配置し、さらに球状部材を配置する。次に、釣竿の穂先側にパイプ状部材を固定し、最後に、抜け止め部を糸係止部に固定する。
【０００７】
発明２に係る釣糸係止具は、発明１の釣糸係止具であって、回転体は球形である。
この場合には、回転体自体が球形であるので、球状部材のみでなくパイプ状部材ともそれぞれ１点で接触するので、回転体が回転する際の摩擦力をさらに抑えることができ円滑に回転する。
【０００８】
発明３に係る釣竿は、竿本体と、竿本体の穂先側先端に設けられた、発明１または２の釣糸係止具とを備えている。
【０００９】
【実施の形態】
［第１実施形態］
以下、本発明の第１実施形態について図面を参照しつつ説明する。
図１に示すように、本実施の第１実施形態を採用した釣竿１００は、竿体１と、竿体１の竿元側端部に設けられたグリップ２と、竿体１の穂先側先端に固定された釣糸係止具１０とを有している。
【００１０】
竿体１は、炭素繊維等の強化繊維に樹脂を含浸させたシート状のプリプレグをマンドレルに巻回して成型して得たものであり、先端が細いテーパ状であって筒状のものである。グリップ２は、竿体１の竿尻に嵌め込まれ、接着剤で接着された蓋付き円筒形状の部材であり、例えば、ウレタンゴム等のゴム系弾性体，スチレンブロック共重合体等を加工して製造したものである。
【００１１】
釣糸係止具１０は、図２に示すように、竿体１の穂先側先端に固定されたパイプ状部材１１と、パイプ状部材１１内の竿体側に回転自在に配置された球状部材１２と、パイプ状部材１１内の穂先側に球状部材１２に当接するように配置されている回転体１３と、回転体１３の穂先側に設けられライン２００が係止されている糸係止部１４と、糸係止部１４の穂先側先端に取り外し可能に設けられている円盤状の抜け止め１５とを有している。
【００１２】
パイプ状部材１１は、竿元側が開口し、穂先側に孔１１ａが形成され端面を有するチタン，スチールまたはチタン，スチール合金等の金属製の筒状部材である。そして、開口している一端から竿体１の穂先側先端が挿入されており、接着剤で固定されている。
球状部材１２は、パイプ状部材１１の内周面半径より小径の球状のものであり、チタン，スチールまたはこれらの合金等の金属製部材である。また、回転体１３も、パイプ状部材１１の内周面半径より小径の球状部材であり、チタン，スチールまたはこれらの合金等の金属製部材である。回転体１３の竿元側端部は平面状に加工された接面部１３ａとなっている。そして、この接面部１３ａで球状部材１２と当接するように、回転体１３はパイプ状部材１１の穂先側に回転自在に配置されている。
【００１３】
糸係止部１４は回転体１３と一体成形された突起状部材であり、パイプ状部材１１の孔１１ａから穂先側に向かって突出するようになっている。また、糸係止部１４の穂先側先端は他の部分に比べてやや小径であり、二股に縦割りされている。そして、この穂先側先端がハトメ部１４ａになっている。このハトメ部１４ａに円盤状の抜け止め１５がハトメの要領でかしめて固定されている。この抜け止め１５は金属製の円盤状部材であり、中央にハトメ部１４ａの周径に合致するような挿入孔１５ａが設けられている。
【００１４】
この釣り糸係止具は、以下のように製造される。
まず、抜け止め１５が取り付けられていない糸係止部１４及び回転体１３を、糸係止部１４が孔１１ａから突出するようにパイプ状部材１１に取り付ける。そして、回転体１３の接面部１３ａに球状部材１２が当接するように、球状部材１２をパイプ状部材１１内に収納する。この際、球状部材１２及び回転体１３がパイプ状部材１１内で良好に回転できるように、回転体１１の内周面には必要に応じてグリース等の潤滑剤が塗布される。さらに回転体１３の接面部１３ａにも必要に応じて潤滑剤が塗布される。
【００１５】
次に、パイプ状部材１１の開口側から竿体１の穂先側先端を挿入する。竿体１の穂先側先端外周には接着剤が塗布されており、この接着剤によって竿体１の穂先側先端にパイプ状部材１１が固定される。その後、抜け止め１５の挿入孔１５ａに糸係止部１４のハトメ部１４ａを挿入し、ハトメ部１４ａを縦割りしてハトメの要領でかしめて固定する。
【００１６】
この場合には、ライン２００が左右に振れ回転すると回転体１３と共に糸係止部１４も回転する。ここで、回転体１３は球状部材１２と１点で当接しており、また回転体１３自体が球形でパイプ状部材１１とも１点で当接しているため、回転体１３が回転する際に生じる摩擦力は非常に小さい。この結果、回転体１３は円滑に回転してライン２００が糸絡みするのを十分に抑える。
【００１７】
以上のように、本発明の第１実施形態を採用した釣竿１００では、球状部材１２が回転体１３に当接するように設けられているので、回転体１３が円滑に回転し糸絡みが十分に抑えられる。また、抜け止め１５が取り外し自在に設けられており、パイプ状部材１１に球状部材１２及び回転体１３を順次配置できるので、製造が容易になる。
【００１８】
［第２実施形態］
以下、本発明の第２実施形態について、図面を参照しつつ説明する。
本発明の第２実施形態を採用した釣竿の穂先側先端には釣糸係止具２０が設けられている。
釣糸係止具２０は、図３に示すように、パイプ状部材２１と、パイプ状部材２１内部の竿元側に配置された球状部材２２と、パイプ状部材２１内部の穂先側に球状部材２２と当接するように配置された回転体２３と、回転体２３の穂先側端部に設けられライン２００が係止されているている糸係止部２４と、糸係止部２４の穂先側先端に取り外し可能に設けられている円盤状の抜け止め２５とを有している。
【００１９】
回転体２３は、パイプ状部材２１の内周面半径より小径の円柱状部材であり、チタン，スチールまたはこれらの合金等の金属製部材である。糸係止部２４は、回転体２３と一体成形された突起状部材であり、先端に雄ねじ部２４ａを有している。一方、抜け止め２５は中心に雌ねじ部を有する円盤状の部材であり、雌ねじ部が糸係止部２４の雄ねじ部２４ａに螺合して固定される。
【００２０】
なおその他の構成は、第１実施形態と同様であり、説明を省略する。
この場合には、第１実施形態と同様の作用効果を奏する。
［第３実施形態］
以下、本発明の第３実施形態について、図面を参照しつつ説明する。
図４に示す釣糸係止具４０は、パイプ状部材４１と、パイプ状部材４１内部の竿元側に配置された球状部材４２と、パイプ状部材４１内部の穂先側に球状部材４２と当接するように配置された回転体４３と、回転体４３の穂先側端部に設けられライン２００が係止されている糸係止部４４と、糸係止部２４の穂先側先端に取り外し可能に設けられている円盤状の抜け止め４５とを有している。
【００２１】
球状部材４２は、竿体１の穂先側先端の内周径に合致するように形成された筒状の本体部４２ａと、本体部４２ａの穂先側に設けられた球面状の球面部４２ｂと、球状部材４２の軸方向のほぼ中央付近の外周面に設けられた係止突起４２ｃとを有している。
回転体４３は、パイプ状部材４１の内周面半径より小径の円柱状部材であり、チタン，スチールまたはこれらの合金等の金属製部材である。糸係止部４４は、回転体４３と一体成形された突起状部材であり、先端に雄ねじ部４４ａを有している。一方、抜け止め４５は中心に貫通していない孔状の雌ねじ部を有する円盤状の部材であり、雌ねじ部が糸係止部４４の雄ねじ部４４ａに螺合して固定される。
【００２２】
この釣糸係止具４０は、以下のようにして製造される。
竿体１の穂先側先端に球状部材４２を係止突起４２ｃが竿体１の穂先側端面にあたるまで挿入する。ここで、球状部材４２と竿体１とは接着剤を用いて強固に固定してもよい。その後、抜け止め４５が取り付けられていない糸係止部４４を、糸係止部４４が孔４１ａから突出するようにパイプ状部材４１に取り付ける。そして、回転体４３の接面部に球状部材４２の球面部４２ｂが当接するように、パイプ状部材４１の開口側を球状部材４２にはめ込んで固定する。
【００２３】
この場合にも、球状部材４２が回転体４３に当接するように設けられているので、回転体４３が円滑に回転し糸絡みが十分に抑えられる。
また、球状部材４２が竿体１と直接連結されているので、強度や耐久性も向上する。
［他の実施形態］
（ａ）竿体の穂先側先端に接着剤流れ止め用の円盤状部材を配置することもできる。この場合は、竿体の穂先側外周面に塗布した接着剤が球状部材側に流れ出るのを抑えられる。
（ｂ）パイプ状部材の竿元側内周面に雌ネジ部を設け、竿体１の穂先側端部に雄ネジ部を設けて、これらを螺合して固定することもできる。
（ｃ）球状部材が直接竿体に連結される場合、球状部材の本体部に雄ネジ部を設け、竿体１の穂先側端部に雌ネジ部を設けて、これらをら合して固定することもできる。
（ｄ）回転体及び球状部材は、硬質合成樹脂等で製造することもできる。
（ｅ）球状部材は、回転体と当接する側のみ球状の形状を有していてもよい。
（ｆ）その他、図５に示すように、パイプ部材５１の一部を軸中心方向にかしめて、回転体が他の部材と接触する面を少なくすることもできる。
【００２４】
また、図６に示す釣糸係止具６０は、穂先側先端に抜止部１ａを有する竿体１の穂先側先端に連結され、竿体１の穂先側先端内に回転可能に配置された回転体６３と、回転体６３の穂先側端部に設けられライン２００が係止される糸係止部６４と、糸係止部６４の穂先側先端に取り外し可能に設けられている円盤状の抜け止め４５とを有している。そして必要に応じて、回転体６３と竿体１の抜止部１ａの間，抜け止め６５と竿体１の抜止部１ａの間にリング状のワッシャ７０が挿入されている。
【００２５】
この釣糸係止具６０は、竿体１の竿元側端部より、糸係止部６４が穂先側に突出するように、抜け止め６５が取り付けられていない回転体６３を挿入した後に、抜け止め６５を固定して竿体１に連結される。
この釣糸係止具６０では、回転体６３がリング状のワッシャ７０と当接するようになっているので、回転体６３が円滑に回転して糸がらみを十分に抑える。
【００２６】
【発明の効果】
本発明に係る釣糸係止具では、球状部材と当接している回転体が釣糸と共に円滑に回転するので、釣糸の糸絡みを十分に抑える。
【図面の簡単な説明】
【図１】本発明の第１実施形態を採用した釣竿の全体図。
【図２】  図１の釣竿の釣糸係止具の拡大断面図。
【図３】本発明の第２実施形態を採用した釣竿の釣糸係止具の拡大断面図。
【図４】本発明の他の実施形態を採用した釣竿の釣糸係止具の拡大断面図。
【図５】本発明の他の実施形態を採用した釣竿の釣糸係止具の拡大断面図。
【図６】本発明の他の実施形態を採用した釣竿の釣糸係止具の拡大断面図。
【符号の説明】
１０，２０，４０  釣糸係止具
１１，２１，４１，５１  パイプ状部材
１２，２２，４２  球状部材
１３，２３，４３，５３，６３  回転体
１４，２４，４４，６４  糸係止部
１５，２５，４５，５５，６５  抜け止め
【図１】
0003797513.tif 000002
【図２】
0003797513.tif 000003
【図３】
0003797513.tif 000004
【図４】
0003797513.tif 000005
【図５】
0003797513.tif 000006
【図６】
0003797513.tif 000007